(57)【特許請求の範囲】
【請求項１】
壁面に設けられた水平方向に延びる溝部に挿入される挿入部を有し、壁面に対して水平姿勢で着脱自在に取り付けられる着脱自在棚の支持構造であって、
前記棚を壁面に取り付けた状態で該棚の上面と壁面との間に形成されるコーナー部に装着され、棚の上面に対接する第１水平面部と、該第１水平面部の壁面側の端部から上方へ延びて前記壁面に対接する垂直面部と、該垂直面部に設けられた下方への延長面部と、該延長面部の下端部から前記第１水平面部と略平行に延びる第２水平面部とを有するストッパが備えられており、
前記ストッパは、前記第１水平面部及び前記第２水平面部の先端部が互いに若干近接しており、
前記ストッパは、前記第１水平面部、前記延長面部及び前記第２水平面部によって形成される断面コ字状とされた係合部が前記棚の後方縁部を挟み込むことにより前記棚に装着されていることを特徴とする着脱自在棚の支持構造。
【請求項２】
壁面に設けられた水平方向に延びる溝部に挿入される挿入部を有し、壁面に対して水平姿勢で着脱自在に取り付けられる着脱自在棚の支持構造であって、
前記棚を壁面に取り付けた状態で該棚の上面と壁面との間に形成されるコーナー部に装着され、棚の上面に対接する第１水平面部と、該第１水平面部の壁面側の端部から上方へ延びて前記壁面に対接する垂直面部と、該垂直面部に設けられた下方への延長面部と、該延長面部の下端部から前記第１水平面部と平行に延びる第２水平面部とを有するストッパが備えられており、
前記ストッパは、前記垂直面部が若干後傾しており、
前記ストッパは、前記第１水平面部、前記延長面部及び前記第２水平面部によって形成される断面コ字状とされた係合部が前記棚の後方縁部を挟み込むことにより前記棚に装着されていることを特徴とする着脱自在棚の支持構造。
【請求項３】
前記棚の後方縁部の端面には、後方に開口する切込部が設けられており、
前記ストッパに設けられた前記両水平面部のうちのいずれか一方が該切込部に挿入されることにより、該ストッパが前記棚に装着されることを特徴とする請求項１または２に記載の着脱自在棚の支持構造。
【請求項４】
前記棚は、棚板と、該棚板に固着され、前記挿入部が設けられた連結具とで構成されており、
前記棚の切込部は、前記棚板に設けられ、前記連結具に設けられた棚板との結合用突起部が挿入される切込部であることを特徴とする請求項３に記載の着脱自在棚の支持構造。
【請求項５】
前記ストッパは、前記棚の左右両側にそれぞれ備えられていることを特徴とする請求項１、２、３または４に記載の着脱自在棚の支持構造。
【請求項６】
壁面に設けられた水平方向に延びる溝部に挿入される挿入部を有し、壁面に対して水平姿勢で着脱自在に取り付けられる着脱自在棚の支持構造で用いられるストッパであって、
前記棚の上面に対接する第１水平面部と、該第１水平面部の壁面側の端部から上方へ延びて前記壁面に対接する垂直面部と、該垂直面部に設けられた下方への延長面部と、該延長面部の下端部から前記第１水平面部と略平行に延びる第２水平面部とを有し、
前記第１水平面部及び前記第２水平面部は、その先端部が互いに若干近接しており、
前記第１水平面部と延長面部と第２水平面部とで断面コ字状とされた係合部が前記棚の後方縁部を挟み込むことにより該棚に装着されることを特徴とする着脱自在棚の支持構造で用いられるストッパ。
【請求項７】
壁面に設けられた水平方向に延びる溝部に挿入される挿入部を有し、壁面に対して水平姿勢で着脱自在に取り付けられる着脱自在棚の支持構造で用いられるストッパであって、
前記棚の上面に対接する第１水平面部と、該第１水平面部の壁面側の端部から上方へ延びて前記壁面に対接する垂直面部と、該垂直面部に設けられた下方への延長面部と、該延長面部の下端部から前記第１水平面部と平行に延びる第２水平面部とを有し、
前記垂直面部が若干後傾しており、
前記第１水平面部と延長面部と第２水平面部とで断面コ字状とされた係合部が前記棚の後方縁部を挟み込むことにより該棚に装着されることを特徴とする着脱自在棚の支持構造で用いられるストッパ。
【請求項８】
前記第１水平面部と垂直面部とを連結する補強部が設けられていることを特徴とする請求項６または７に記載の着脱自在棚の支持構造で用いられるストッパ。
【発明の詳細な説明】
【技術分野】
【０００１】
本発明は、壁面における着脱自在棚の支持構造及びその支持構造で用いられるストッパに関し、家具の技術分野に属する。
【背景技術】
【０００２】
室内の壁面を構成するパネルに対し、棚を着脱自在に取り付けることがある。例えば特許文献１には、図１１に示すように、壁面Ｗ上のパネルＡに取付レールＢが備えられており、この取付レールＢの溝部Ｂ′に、棚Ｃに固定された連結具Ｄの挿入部Ｄ′を嵌合させる構造が開示されている。これにより、棚Ｃは、前記挿入部Ｄ′と溝部Ｂ′との嵌合離脱を介してパネルＡに着脱自在とされ、また、装着状態では、前述した嵌合構造と、棚Ｃの荷重Ｘが負荷されて連結具Ｄの下部とパネルＡとの当接箇所に生じる反力Ｘ１とにより、棚ＣはパネルＡに安定して支持されるようになる。
【０００３】
一方、特許文献２には、前述したような挿入部と溝部との嵌合構造を介してパネルに着脱自在に吊下げて使用される部材に、押し上げる力が作用しても吊下部材が上方に移動しないようにする構造が開示されている。すなわち、前記溝部に嵌合する挿入部を有して前記パネルに装着されると共に前記吊下部材の上端面に上方から当接するストッパが設けられている。
【０００４】
【特許文献１】特開２００４−２５０８７０号公報
【特許文献２】特許第３７６８９８８号公報
【発明の開示】
【発明が解決しようとする課題】
【０００５】
ところで、前記特許文献１に記載の支持構造の場合、図１１に示すように、棚Ｃの前端部に押し上げる力Ｚが作用すると、棚Ｃは前記嵌合箇所を中心として矢印ａで示すように上向きに回動する結果、挿入部Ｄ′が溝部Ｂ′から離脱する不具合が生じることがある。その対策として、特許文献２に記載の構造を適用することが考えられるが、その場合の想像線で示すストッパＥは、棚Ｃの後端部の前記嵌合箇所に近接した部位に当接するものであるので、前述したような嵌合箇所を中心とする棚Ｃの回動を阻止することはできず、挿入部Ｄ′は溝部Ｂ′から離脱することがある。
【０００６】
そこで、本発明は、棚の挿入部と壁面の溝部との嵌合を介して壁面に着脱自在に取り付けられた棚の前端部に押し上げる力が作用しても、前記嵌合を維持することができる着脱自在棚の支持構造及びその支持構造で用いられるストッパの提供を課題とする。
【課題を解決するための手段】
【０００７】
前記課題を解決するため、本発明は次のように構成したことを特徴とする。
【０００８】
まず、請求項１に記載の発明は、壁面に設けられた水平方向に延びる溝部に挿入される挿入部を有し、壁面に対して水平姿勢で着脱自在に取り付けられる着脱自在棚の支持構造であって、前記棚を壁面に取り付けた状態で該棚の上面と壁面との間に形成されるコーナー部に装着され、棚の上面に対接する第１水平面部と、該第１水平面部の壁面側の端部から上方へ延びて前記壁面に対接する垂直面部と、該垂直面部に設けられた下方への延長面部と、該延長面部の下端部から前記第１水平面部と略平行に延びる第２水平面部とを有するストッパが備えられており、前記ストッパは、前記第１水平面部及び前記第２水平面部の先端部が互いに若干近接しており、前記ストッパは、前記第１水平面部、前記延長面部及び前記第２水平面部によって形成される断面コ字状とされた係合部が前記棚の後方縁部を挟み込むことにより前記棚に装着されていることを特徴とする。
【０００９】
なお、前記壁面は、この壁面に配設される保護用途や装飾用途のパネルを含む。
【００１０】
次に、請求項２に記載の発明は、壁面に設けられた水平方向に延びる溝部に挿入される挿入部を有し、壁面に対して水平姿勢で着脱自在に取り付けられる着脱自在棚の支持構造であって、前記棚を壁面に取り付けた状態で該棚の上面と壁面との間に形成されるコーナー部に装着され、棚の上面に対接する第１水平面部と、該第１水平面部の壁面側の端部から上方へ延びて前記壁面に対接する垂直面部と、該垂直面部に設けられた下方への延長面部と、該延長面部の下端部から前記第１水平面部と平行に延びる第２水平面部とを有するストッパが備えられており、前記ストッパは、前記垂直面部が若干後傾しており、前記ストッパは、前記第１水平面部、前記延長面部及び前記第２水平面部によって形成される断面コ字状とされた係合部が前記棚の後方縁部を挟み込むことにより前記棚に装着されていることを特徴とする。
【００１１】
また、請求項３に記載の発明は、前記請求項１または２に記載の着脱自在棚の支持構造において、前記棚の後方縁部の端面には、後方に開口する切込部が設けられており、前記ストッパに設けられた前記両水平面部のうちのいずれか一方が該切込部に挿入されることにより、該ストッパが前記棚に装着されることを特徴とする。
【００１２】
また、請求項４に記載の発明は、前記請求項３に記載の着脱自在棚の支持構造において、前記棚は、棚板と、該棚板に固着され、前記挿入部が設けられた連結具とで構成されており、前記棚の切込部は、前記棚板に設けられ、前記連結具に設けられた棚板との結合用突起部が挿入される切込部であることを特徴とする。
【００１３】
また、請求項５に記載の発明は、請求項１、２、３または４に記載の着脱自在棚の支持構造において、前記ストッパには、前記第１水平面部と垂直面部とを連結する補強部が設けられていることを特徴とする。
【００１４】
また、請求項６に記載の発明は、壁面に設けられた水平方向に延びる溝部に挿入される挿入部を有し、壁面に対して水平姿勢で着脱自在に取り付けられる着脱自在棚の支持構造で用いられるストッパであって、前記棚の上面に対接する第１水平面部と、該第１水平面部の壁面側の端部から上方へ延びて前記壁面に対接する垂直面部と、該垂直面部に設けられた下方への延長面部と、該延長面部の下端部から前記第１水平面部と略平行に延びる第２水平面部とを有し、前記第１水平面部及び前記第２水平面部は、その先端部が互いに若干近接しており、前記第１水平面部と延長面部と第２水平面部とで断面コ字状とされた係合部が前記棚の後方縁部を挟み込むことにより該棚に装着されることを特徴とする。
【００１５】
また、請求項７に記載の発明は、壁面に設けられた水平方向に延びる溝部に挿入される挿入部を有し、壁面に対して水平姿勢で着脱自在に取り付けられる着脱自在棚の支持構造で用いられるストッパであって、前記棚の上面に対接する第１水平面部と、該第１水平面部の壁面側の端部から上方へ延びて前記壁面に対接する垂直面部と、該垂直面部に設けられた下方への延長面部と、該延長面部の下端部から前記第１水平面部と平行に延びる第２水平面部とを有し、前記垂直面部が若干後傾しており、前記第１水平面部と延長面部と第２水平面部とで断面コ字状とされた係合部が前記棚の後方縁部を挟み込むことにより該棚に装着されることを特徴とする。
【００１６】
そして、請求項８に記載の発明は、前記６または７に記載の着脱自在棚の支持構造で用いられるストッパにおいて、前記第１水平面部と垂直面部とを連結する補強部が設けられていることを特徴とする。
【発明の効果】
【００１７】
まず、請求項１または２に記載の発明によれば、棚の上面と壁面との間に形成されるコーナー部には、棚の上面に対接する第１水平面部と壁面に対接する垂直面部とを有するストッパが備えられている。したがって、棚の前端部を押し上げる力が作用すると、壁面に対接する垂直面部が壁面からの反力を受けるので、垂直面部と第１水平面部とにより、挿入部と溝部との嵌合箇所を中心とする棚の前端部の上向きの回動が阻止される。すなわち、ストッパを備えた支持構造とすることにより、棚の挿入部と壁面の溝部との嵌合を介して壁面に着脱自在に取り付けられた棚の前端部に押し上げる力が作用しても、前記嵌合を維持することができる。また、ストッパには、第１水平面部と延長面部と第２水平面部とで構成される係合部が設けられており、係合部が棚の後方縁部を挟み込むことによりストッパは棚に着脱自在に装着されるので、壁面への棚の装着位置を変更する場合には容易に対応することができる。
【００１８】
また、請求項１に記載の発明によれば、ストッパは、第１水平面部及び第２水平面部の先端部が互いに若干近接しているので、第１及び第２水平面部による弾性反発力により棚が強固に挟持され、ストッパが容易に横方向に移動しないという効果が得られる。また、請求項２に記載の発明によれば、ストッパは、垂直面部が若干後傾しているので、垂直面部による弾性反発力により垂直面部と壁面との間に摩擦力が生じ、棚の横滑り防止効果が得られる。
【００１９】
また、請求項３に記載の発明によれば、棚の後方縁部の端面に切込部が設けられており、ストッパに設けられた両水平面部のうちのいずれか一方が、この切込部に挿入されるので、ストッパを棚に安定して装着することができる。特に、上側の第１水平面部が切込部に挿入される構成とすれば、棚の上方から第１水平面部がなくなり、外観がすっきりする。一方、第２水平面部が切込部に挿入される構成とすれば、第２水平面部が棚の下面に係合する構成に比較して両水平面部の間隔が短縮されるので、つまり延長面部が短縮されるので、ストッパの小型化が図られ、ストッパ機能を維持しつつ使用材料を削減することができる。
【００２０】
また、請求項４に記載の発明によれば、棚が棚板と連結具とで構成されている場合に、前述した切込部は、連結具を棚板に結合するための突起部が挿入されるものであるので、共通の切込部で、棚板と連結具との結合と、ストッパの装着とが実現する。
【００２１】
また、請求項５に記載の発明によれば、棚の左右両側にストッパが備えられているので、棚の前端部を押し上げる力が作用した場合には、棚が左右でこじれないように均等に上向きの回動が阻止される。
【００２２】
また、請求項６または７に記載の発明によれば、着脱自在棚の支持構造で用いられるストッパは、棚の上面に対接する第１水平面部と、第１水平面部の壁面側の端部から上方へ延びて壁面に対接する垂直面部と、垂直面部に設けられた下方への延長面部と、延長面部の下端部から第１水平面部と平行に延びる第２水平面部とを有し、第１水平面部と延長面部と第２水平面部とで断面コ字状とされた係合部が棚の後方縁部を挟み込むことにより棚に装着されるので、棚の前端部を押し上げる力が作用すると、壁面に対接する垂直面部が壁面からの反力を受け、垂直面部と第１水平面部とにより、棚の挿入部と壁面の溝部との嵌合箇所を中心とする棚の前端部の上向きの回動が阻止される。すなわち、着脱自在棚の支持構造に前記ストッパを備えることにより、棚の挿入部と壁面の溝部との嵌合を介して壁面に着脱自在に取り付けられた棚の前端部に押し上げる力が作用しても、前記嵌合を維持することができる。
【００２３】
また、請求項６に記載の発明によれば、第１水平面部及び第２水平面部の先端部が互いに若干近接しているので、第１及び第２水平面部による弾性反発力により棚が強固に挟持され、ストッパが容易に横方向に移動しないという効果が得られる。また、請求項７に記載の発明によれば、垂直面部が若干後傾しているので、垂直面部による弾性反発力により垂直面部と壁面との間に摩擦力が生じ、棚の横滑り防止効果が得られる。
【００２４】
また、請求項８に記載の発明によれば、ストッパには、第１水平面部と垂直面部とを連結する補強部が設けられているので、これらで形成される部位が強度面で補強される。すなわち、第１水平面部と垂直面部とでＬ字状に形成されている場合に比較して、棚の前端部を押し上げる力が作用したとき堅固に抗することができ、ストッパの耐久性が向上する。
【発明を実施するための最良の形態】
【００２６】
以下、本発明の実施の形態に係る着脱自在棚の支持構造について説明する。なお、その場合に用いられるストッパは、本発明に係るストッパの実施の形態を構成する。
【００２７】
図１に示すように、壁面Ｗにパネル１が配設されており、パネル１には、正面視で水平方向つまり横方向に延びる取付レール２が備えられている。また、パネル１には、棚３が水平姿勢で取り付けられている。また、棚３は、棚板４と連結具５とで構成されている。そして、棚３つまり棚板４の上面と壁面Ｗつまりパネル１との間に形成されるコーナー部には、左右に本発明の特徴部分であるストッパ６，６が備えられている。
【００２８】
図２及び図３に示すように、壁面Ｗ上のパネル１には、例えばＭＤＦ（中密度繊維板）やＬＶＬ（単板積層材）等の木質材料が使用されており、また、所定箇所に正面視で水平方向つまり横方向に延びる凹部１１が設けられており、この凹部１１に、上下外面に抜け止め対策が施されたアルミニウムのような金属材料製の取付レール２が嵌入保持されている。そして、取付レール２には、前方になるほど下方に傾斜すると共に下方に若干凸状とされ、前方に開口する溝部２１が設けられている。
【００２９】
棚板４には、木質材料が使用されており、また、前端部の下部が切り欠かれた形状とされている。そして、棚板４の後方縁部は、後方に開口する切込部４１により上側部分４ａと下側部分４ｂとに二分されている。
【００３０】
連結具５には、アルミニウムのような金属材料が使用されており、図示しない止着部材により前記棚板４に固着されることにより棚３が構成されている。連結具５は、棚板４に比較して横方向の寸法が狭い形状とされており（図１参照）、上下に延びる垂直面部５１と、垂直面部５１の上端部から棚板４の上面に沿って前方に延びる水平面部５２と、水平面部５２とは逆の後方に延びて、後方になるほど上方に傾斜すると共に下方に若干凸状とされた挿入部５３と、水平面部５１より少し下方に設けられて前方に延びる抜け止め用の断面鋸歯状の突起部５４と、垂直面部５１の下部に設けられて棚板４の下方を前方に延びる中空略三角形状とされた下方支持部５５とを有している。
【００３１】
その場合、垂直面部５１は、棚板４の後方縁部の端面とパネル１の前面との隙間Ｇに位置し、水平面部５２は、棚板４の上面に上方から係合し、挿入部５３は、取付レール２の溝部２１に嵌入し、突起部５４は、棚板４の切込部４１に挿入され、そして、下方支持部５５は、その前端部近傍を介して棚板４を下方から支持する。
【００３２】
これにより、棚板４ひいては棚３は、連結具５の挿入部５３と取付レール２の溝部２１との嵌合離脱を介してパネル１に着脱自在とされる。また、棚３がパネル１に取り付けられた状態では、棚３の荷重Ｘにより前端部に挿入部５３と溝部２１との嵌合箇所を中心として下向きのモーメントが作用するため、挿入部５３が溝部２１の上壁に強く押し付けられて嵌合状態が強化されると共に、連結具５の垂直面部５１の下部５１ａとパネル１の前面との当接を介し、棚３はパネル１に安定して支持される。
【００３３】
そして、図３に示すように、ストッパ６には、合成樹脂材料が使用されており、側面視で概ね逆Ｆ字状とされている。すなわち、ストッパ６は、棚板４の後方縁部の上面に沿って前方に延びて棚板４の上面に対接する第１水平面部６１と、第１水平面部６１のパネル１側の端部から上方へ延びてパネル１の前面に対接する垂直面部６２と、垂直面部６２から下方に延びる延長面部６３と、延長面部６３の下端部から第１水平面部６１と平行に延びると共に棚板４の切込部４１に挿入される第２水平面部６４とを有し、第１及び第２水平面部６１，６４と延長面部６３とで、前記棚板４の後方縁部つまり上側部分４ａを挟み込む断面コ字状の係合部が設けられている。また、第１及び第２水平面部６１，６４の間隔は、前記上側部分４ａの厚みｔに略等しいので、棚板４に装着されたストッパ６はがたつかない。
【００３４】
なお、延長面部６３は、前記隙間Ｇに位置する。また、ストッパ６のパネル１側においては、パネル１の凹部１１から若干突出する取付レール２に干渉しないように、所定範囲に亘り切り欠かれている。
【００３５】
以上のように構成したことにより、まず、棚３の上面と壁面Ｗとの間に形成されるコーナー部には、棚３の上面に対接する第１水平面部６１と壁面Ｗに対接する垂直面部６２とを有するストッパ６が備えられている。したがって、棚３の前端部を押し上げる力が作用すると、壁面Ｗに対接する垂直面部６２が壁面Ｗからの反力を受けるので、垂直面部６２と第１水平面部６１とにより、挿入部５３と溝部２１との嵌合箇所を中心とする棚３の前端部の上向きの回動が阻止される。すなわち、ストッパ６を備えた支持構造とすることにより、棚３の挿入部５３と壁面Ｗの溝部２１との嵌合を介して壁面Ｗに着脱自在に取り付けられた棚３の前端部に押し上げる力が作用しても、前記嵌合を維持することができる。
【００３６】
次に、ストッパ６には、第１水平面部６１と延長面部６３と第２水平面部６４とで構成される係合部が設けられており、係合部が棚３の後方縁部つまり上側部分４ａを挟み込むことによりストッパ６は棚３に着脱自在に装着されるので、壁面Ｗへの棚３の装着位置を変更する場合には容易に対応することができる。
【００３７】
また、棚３の後方縁部の端面に切込部４１が設けられており、ストッパ６に設けられた第２水平面部６４が、この切込部４１に挿入されるので、ストッパ６を棚３に安定して装着することができる。そして、第２水平面部が棚３の下面に係合する構成に比較して両水平面部６１，６４の間隔が短縮されるので、つまり延長面部６３が短縮されるので、ストッパ６の小型化が図られ、ストッパ機能を維持しつつ使用材料を削減することができる。
【００３８】
また、棚３が棚板４と連結具５とで構成されており、前述した切込部４１は、連結具５を棚板４に結合するための突起部５４が挿入されるものであるので、共通の切込部４１で、棚板４と連結具５との結合と、ストッパ６の装着とが実現する。
【００３９】
そして、棚３の左右両側にストッパ６，６が備えられているので、棚３の前端部を押し上げる力が作用した場合には、棚３が左右でこじれないように均等に上向きの回動が阻止される。
【００４０】
ここで、ストッパ６の基本的な作用につき図４を用いて補足説明する。棚板４の前端部に押し上げる力Ｚが作用すると、この棚板４は、図示しない連結具５の挿入部５３と取付レール２の溝部２１との嵌合箇所を中心として矢印ａで示すように回動しようとする。その場合に、ストッパ６を備えたため、パネル１の前面に対接する垂直面部６２に作用するパネル１からの反力Ｚ１と、棚板４の上面に対接する第１水平面部６１からの反力Ｚ２とにより、棚板４の回動が阻止されるのである。
【００４１】
次に、棚板がガラス製の場合について説明する。
【００４２】
ガラス製の棚板では、通常は木質材料製の棚板４におけるような後方縁部の切込部４１は設けられていない。その場合には、図５に示すように、前述したと同様のストッパ６は、パネル１に取り付けられた棚板４Ａの後方縁部を、第１及び第２水平面部６１，６４と延長面部６３とで挟み込むように備えられる。なお、水平面部６１，６４の間隔を棚板４Ａの板厚ｔに略等しくすることにより、ストッパ６をがたつきなく棚板４Ａに装着することができる。
【００４３】
次に、ストッパを別なる形態で棚板に装着した場合について説明する。
【００４４】
図６に示すストッパ６Ｂは、前記ストッパ６と略同様に、第１水平面部６１Ｂ、垂直面部６２Ｂ、延長面部６３Ｂ、及び第２水平面部６４Ｂを有しているが、第１水平面部６１Ｂが棚板４の切込部４１に挿入され、第２水平面部６４Ｂが棚板４の下面に係合する点で、前記ストッパ６とは異なる。なお、第１及び第２水平面部６１Ｂ，６４Ｂの間隔を、上側部分４ａと下側部分４ｂとに二分されたうちの下側部分４ｂの厚みｔ１に略等しくすることにより、ストッパ６Ｂをがたつきなく棚板４に装着することができる。
【００４５】
詳細な説明は省略するが、この場合にも、棚板４の前端部に押し上げる力が作用して、棚板４が、図示しない連結具５と取付レール２との嵌合箇所を中心として上向きに回動しようとするのに対し、パネル１の前面に対接する垂直面部６２Ｂと切込部４１に挿入された第１水平面部６１とにより、前述した回動が阻止される。したがって、連結具５と取付レール２との嵌合が維持される。なお、この場合、切込部４１の下壁も、請求項１に記載の発明における棚の上面に含まれる。
【００４６】
そして、上側の第１水平面部６１Ｂが切込部４１に挿入される構成であるので、棚板４つまり棚３の上方から第１水平面部６１Ｂがなくなり、外観がすっきりする。
【００４７】
次に、ストッパの別なる形状例について説明する。すなわち、前述したストッパ６における第１水平面部６１と垂直面部６２との境界付近の剛性向上を図りたい場合には、例えば以下の構成が好ましい。
【００４８】
まず、図７に示すストッパ６Ｃは、第１水平面部６１Ｃ、垂直面部６２Ｃ、延長面部６３Ｃ、及び第２水平面部６４Ｃを有し、さらに、第１水平面部６１Ｃと垂直面部６２Ｃとが補強部６５Ｃで連結され、第１水平面部６１Ｃと垂直面部６２Ｃと補強部６５Ｃとで断面略四角形状とされている。
【００４９】
これにより、第１水平面部６１Ｃより上方の部位が剛性面で補強される。すなわち、このストッパ６Ｃは、前記ストッパ６のような第１水平面部６１と垂直面部６２とでＬ字状に形成されている場合に比較して、棚３の前端部を押し上げる力が作用したとき堅固に抗することができ、耐久性が向上する。
【００５０】
次に、図８に示すストッパ６Ｄは、第１水平面部６１Ｄ、垂直面部６２Ｄ、延長面部６３Ｄ、及び第２水平面部６４Ｄを有し、さらに、第１水平面部６１Ｄと垂直面部６２Ｄとが後方になるほど直線状に上方に傾斜する補強部６５Ｄで連結され、第１水平面部６１Ｄと垂直面部６２Ｄと補強部６５Ｄとで断面略三角形状とされている。
【００５１】
これにより、このストッパ６Ｄも、補強部６５Ｄが設けられているので、耐久性が向上する。さらに、前記三部位６１Ｄ，６２Ｄ，６５Ｄで略三角形状とされているので、例えば四角形状とされている前記ストッパ６Ｃに比較して、軽量化が図られ、剛性を維持しつつ使用材料を削減することができる。
【００５２】
そして、図９に示すストッパ６Ｅは、第１水平面部６１Ｅ、垂直面部６２Ｅ、延長面部６３Ｅ、及び第２水平面部６４Ｅを有し、さらに、第１水平面部６１Ｅと垂直面部６２Ｅとが上方に向けて凸状に湾曲する補強部６５Ｅで連結されている。
【００５３】
これにより、前記ストッパ６Ｄと同様の作用効果が得られた上で、ストッパ６Ｅに意匠性を付与することができる。
【００５４】
そして、いずれのストッパ６Ｃ，６Ｄ，６Ｅにおいてにも、図中想像線で示すように、第１水平面部６１Ｃ，６１Ｄ，６１Ｅより上方の部位を中空構造とすることにより、剛性を維持しつつさらなる使用材料の削減を図ることができる。
【００５５】
なお、本発明は、具体的に詳述した前記実施の形態に限定されない。
【００５６】
例えば、前記実施の形態では、取付レール２の溝部２１に嵌入される挿入部５３は連結具５に設けられていたが、棚板４に一体に挿入部を設けた構成としてもよい。
【００５７】
また、前記実施の形態では、ストッパ６は、棚３の左右両側に備えられていたが、例えば横幅寸法が狭い棚の場合には、片側のみに備えてもよい。
【００５８】
また、ストッパ６，６Ｂ〜６Ｅには、合成樹脂材料の他に、木質材料、金属材料、複合材料等、ストッパ機能を示すのに必要な強度を有しているものであればよい。
【００５９】
ところで、壁面Ｗに取り付けられた棚３が不用意に左右に横滑りすることにより、取付レール２が損傷されるおそれがある場合には、例えば、図１０に示すような合成樹脂製のストッパ６を使用することができる。すなわち、このストッパ６では、自然状態で、対向する第１及び第２水平面部６１，６４の先端部が互いに若干近接し、かつ、垂直面部６２は、若干後傾している。このストッパ６を棚板４に装着するときには、棚板４の後方縁部の上側部分４ａで第１及び第２水平面部６１，６４を押し広げながら装着する。
【００６０】
こうすることにより、第１及び第２水平面部６１，６４による弾性反発力により棚板４の上側部分４ａは強固に挟持され、ストッパ６は容易には横方向に移動しない。その上で、垂直面部６２による弾性反発力により垂直面部６２とパネル１との間に摩擦力が生じ、棚３の横滑り防止に効果的となる。その場合、図１に示したように、ストッパ６を、棚３の左右両側つまり連結具５の左右端面に隣接するように備えるのが好ましい。
【００６１】
なお、前述した構成は、このストッパ６の着脱性を阻害しない範囲で適用されるのが望ましい。また、自然状態で、第１及び第２水平面部６１，６４の先端部を互いに若干近接させるか、垂直面部６２を若干後傾させるか、いずれか一方の措置を取ってもよい。
【００６２】
そして、別なる横滑り防止策として、ストッパの第１及び第２水平面部の棚板を挟み込む側の面や垂直面部のパネルに対接する側の面に対し、粗面化処理やゴムのような摩擦材貼付等の適宜の高摩擦化処理を施してもよい。
【産業上の利用可能性】
【００６３】
以上説明したように、本発明によれば、棚の挿入部と壁面の溝部との嵌合を介して壁面に着脱自在に取り付けられた棚の前端部に押し上げる力が作用しても、前記嵌合を維持することができる着脱自在棚の支持構造及びその支持構造で用いられるストッパが提供され、本発明は、家具の技術分野に広く利用される可能性がある。
【図面の簡単な説明】
【００６４】
【図１】本発明の実施の形態に係る着脱自在棚の支持構造を示す斜視図である。
【図２】図１のＩ−Ｉ線による拡大断面図である。
【図３】図１のＩＩ−ＩＩ線による拡大断面図である。
【図４】作用を説明するための簡略化した側面図であり、取付レールや連結具を省略して示す。
【図５】ストッパをガラス製の棚板に装着した場合の簡略化した側面図であり、取付レールや連結具を省略して示す。
【図６】ストッパを別なる形態で装着した場合の簡略化した側面図であり、取付レールや連結具を省略して示す。
【図７】剛性向上を図り得る形状とされたストッパの側面図である。
【図８】同じく別なるストッパの側面図である。
【図９】同じく別なるストッパの側面図である。
【図１０】棚の横滑りを防止し得る構成の簡略化した側面図であり、取付レールや連結具を省略して示す。
【図１１】従来の着脱自在棚の支持構造を示す断面図である。
【符号の説明】
【００６５】
３      棚
４，４Ａ      棚板
５      連結具
６，６Ｂ〜６Ｅ          ストッパ
２１    溝部
４１    切込部
５３    挿入部
５４    突起部
６１，６１Ｂ〜６１Ｅ    第１水平面部（水平面部）
６２，６２Ｂ〜６２Ｅ    垂直面部
６３，６３Ｂ〜６３Ｅ    延長面部
６４，６４Ｂ〜６４Ｅ    第２水平面部
６５Ｃ〜６５Ｅ          補強部
Ｗ      壁面
【図１】
0005328171.tif 000002
【図２】
0005328171.tif 000003
【図３】
0005328171.tif 000004
【図４】
0005328171.tif 000005
【図５】
0005328171.tif 000006
【図６】
0005328171.tif 000007
【図７】
0005328171.tif 000008
【図８】
0005328171.tif 000009
【図９】
0005328171.tif 000010
【図１０】
0005328171.tif 000011
【図１１】
0005328171.tif 000012